(57)【特許請求の範囲】
【請求項１】
多層階建物の排水路の立主管下端に接続される立主管接続管部と、横主管に接続される横主管接続管部と、前記立主管接続管部と横主管接続管部とを連結する曲管部とから成る脚部継手であって、
前記立主管接続管部は、立主管下端が嵌合される受口部と、受口部の下方に設けられる拡径部とを備え、
前記拡径部は、前記横主管接続管部の中心軸に沿って前記立主管接続管部を縦断方向に切断した脚部継手の切断面で見て、曲管部内壁の曲率半径の最も大きい部分に繋がる内壁部分が略垂直な直線になり、
前記切断面で見て、前記直線の内壁部分に対向する前記横主管接続管部側の前記拡径部の内壁部分が上端から下端に向かって徐々に前記直線から離れる方向に湾曲し、その湾曲の下端が前記曲管部内壁の曲率半径の最も小さい内壁部分に連続する状態となるように、横主管接続管部側に膨出していて、
一対の羽根状リブが、前記拡径部の立主管の中心軸より前記横主管接続管部側の拡径部内壁面に、前記横主管接続管部の中心軸を挟んで間を隔てて突設されていることを特徴とする脚部継手。
【請求項２】
立主管接続管部を、立主管の中心軸方向に投影したとき、一方の羽根状リブの他方の羽根状リブ側の基端および立主管接続管部に接続される立主管の中心軸を結ぶ線分と、他方の羽根状リブの一方の羽根状リブ側の基端および立主管接続管部に接続される立主管の中心軸を結ぶ線分とのなす角度（α）が、４５°〜１００°となるように、立主管接続管部内壁面に各羽根状リブが突設されている請求項１に記載の脚部継手。
【請求項３】
立主管接続管部を、立主管の中心軸方向に投影したとき、各羽根状リブの先端が、立主管接続管部に接続される立主管下端の内径の７０％の内径をした立主管の中心軸を中心とする円（Ｃ１）と、前記立主管下端の内径の９０％の内径をした立主管下端の中心軸を中心とする円（Ｃ２）との間に収まるように、立主管接続管部内壁面に各羽根状リブが突設されている請求項１または請求項２に記載の脚部継手。
【請求項４】
流下する排水を旋回流にする傾斜板を有する集合継手を、立主管下端部に備える排水路に用いられる請求項１〜請求項３のいずれかに記載の脚部継手。
【請求項５】
排水路の立主管下端が最下階の床スラブを貫通して配置され、床スラブの上方に最下階の横枝管接続部を継手本体の側面に有するとともに、継手本体内に上流側から流れ込む排水流を受け止めて旋回流とするための、管軸に対して傾斜した傾斜板を備えている集合継手で形成され、この集合継手の下端が、請求項1〜請求項３のいずれかに記載の脚部継手の立主管接続管部に接続されていることを特徴とする多層階建物の排水システム。
【発明の詳細な説明】
【技術分野】
【０００１】
本発明は、多層階建物の単管式排水管システムの最下階に用いられる脚部継手及びこの脚部継手を用いた排水システムに関する。
【背景技術】
【０００２】
例えば、高層マンションや商業ビル等の多層階建物においては、各階の便器、化粧台、流し台等の衛生機器から排出される排水が、横枝管を介して各階層を通過するように設けられた排水路の立主管に流入し、立主管に沿って多層階建物の最下階まで流下し、立主管の下端に接続された脚部継手を介して横主管に流れ込み、最終的に下水本管や浄化槽等に送られるようになっている。
【０００３】
ところで、図１１に示すように、脚部継手１１０は、排水路の立主管２００の下端が接続される立主管接続管部１１１と、横主管３００に接続される横主管接続管部１１２と、前記立主管２００と横主管接続管部１１２とを連結する曲管部１１３とを備えているが、立主管２００を流下する排水が、各階に設けられた集合継手に内蔵されている旋回羽根（図示せず）によって内壁面に沿う旋回流となって脚部継手１１０に流れ込むため、排水量が多いと、立主管２００の横主管側の内壁面に沿って流下してきた排水４００が曲管部１１３内をカーテン状に閉塞し、立主管２００の最下階付近では排水時に大きな正圧が生じ、最下階の横枝管に繋がる衛生機器のトラップの跳ねだしを招く恐れがあった。そのため、横主管が設けられる高さ位置に最も近い最下階において配管される横枝管は、立主管へ直接接続することはせず、単独で排水ますまで配管するか、または横主管上で立主管から十分な距離を確保して合流させるのが好ましいとされていた。
【０００４】
そこで、上記のような問題を解決するために、図１２に示すように、上部管用接続部５１１及び下部管用接続部５１２とこれら両接続部間に位置する横枝管用接続部５２０とが設けられた管本体５１０を有し、この管本体５１０の上部管用接続部５１１の呼び径をよりも下部管用接続部５１２の呼び径を径大に形成した集合継手（内部に旋回羽根や偏流板はない）５００を最下階の床スラブ７００を貫通するように用いた排水システム（特許文献１参照）や、立主管下端に接続される縦管部の断面が円形状とされ、軸方向中央部の断面は略卵形とされ、立主管の下端との接続部から軸方向中央部になるにつれて円形状から略卵形状とされ、横主管との接続部は立主管の下端との接続部より大径とされている脚部継手（特許文献２）が提案されている。なお、図１２中、１２０は脚部継手（脚部ベンド）、３００は横主管である。
【０００５】
しかし、上記前者の集合継手５００及び後者の脚部継手おいては、最下階の床スラブ下に十分な高さの配管スペースを確保することができれば、上記問題が解決できるのであるが、建物基礎床等と最下階の床スラブとの間の配管スペースが狭い、あるいは、梁などの配置によって、横主管を床スラブに近づけて配置させなければならない場合においては、十分な効果が発揮できない、あるいは配管が不可能であるという問題がある。
一方、後者の集合継手５００の場合、卵形形状とするため、卵形部分の最少高さ寸法に制約があり、配管スペースが狭くなると対応しきれなくなる。
【０００６】
また、図１３に示すように、立主管接続管部１１１の下端かつ曲管部１１３の曲率中心に近い位置、すなわち、横主管接続管部１１２の中心軸上に、三角錘状の突起１１４を１つ設けるようにした脚部継手（排水曲管）１２０も提案されている（特許文献３参照）。
すなわち、上記脚部継手１２０の場合、上記突起１１４によって水膜を切り、水膜によって曲管部１１３内が閉塞されるのを防止するようにしている。
【０００７】
しかしながら、最下階に継手本体に連通する横枝管接続管部を有するとともに、旋回羽根を継手本体内部に備えた集合継手を配置した場合、最下階の衛生機器から横枝管接続管部を介して継手本体内に多量の排水が流れ込むと、上記の突起１１４では十分に水膜を切ることができない。また、突起１１４が横主管接続管部１１２の中心軸上に設けられているので、突起１１４に排水中の夾雑物が引っかかったりして、曲管部１１３が閉塞するおそれがある。
【０００８】
【特許文献１】特開２００５−２９９１８５号公報
【特許文献２】特許３０７７９９６号公報
【特許文献３】実公昭５８−５７４５号公報
【発明の開示】
【発明が解決しようとする課題】
【０００９】
本発明は、上記事情に鑑みて、曲管部の曲がりを急激にして高さ方向の寸法を小さくしても、立主管接続管部と横主管接続管部との間が水膜によって閉塞することがない脚部継手及びこの脚部継手の納まり寸法を小さくできて、最下階でも横枝管を立主管へ直接接続しても排水性能に支障のない排水システムを提供することを目的としている。
【課題を解決するための手段】
【００１０】
上記目的を達成するために、本発明にかかる脚部継手は、多層階建物の排水路の立主管下端に接続される立主管接続管部と、横主管に接続される横主管接続管部と、前記立主管接続管部と横主管接続管部とを連結する曲管部とから成る脚部継手であって、前記立主管接続管部は、立主管下端が嵌合される受口部と、受口部の下方に設けられる拡径部とを備え、前記拡径部は、前記横主管接続管部の中心軸に沿って前記立主管接続管部を縦断方向に切断した脚部継手の切断面で見て、曲管部内壁の曲率半径の最も大きい部分に繋がる内壁部分が略垂直な直線になり、前記切断面で見て、前記直線の内壁部分に対向する前記横主管接続管部側の前記拡径部の内壁部分が上端から下端に向かって徐々に前記直線から離れる方向に湾曲し、その湾曲の下端が前記曲管部内壁の曲率半径の最も小さい内壁部分に連続する状態となるように、横主管接続管部側に膨出していて、一対の羽根状リブが、前記拡径部の立主管の中心軸より前記横主管接続管部側の拡径部内壁面に、前記横主管接続管部の中心軸を挟んで間を隔てて突設されていることを特徴としている。
【００１１】
本発明の脚部継手は、特に限定されないが、立主管接続管部をその中心軸方向に投影したとき、一方の羽根状リブの他方の羽根状リブ側の基端および立主管接続管部に接続される立主管の中心軸を結ぶ線分と、他方の羽根状リブの一方の羽根状リブ側の基端および立主管接続管部に接続される立主管の中心軸を結ぶ線分とのなす角度（α）が、４５°〜１００°となるように、立主管接続管部内壁面に各羽根状リブが突設されていることが好ましい。
【００１２】
すなわち、角度（α）が、４５°未満になると、管径によっては、2枚の羽根状リブの間隔が十分確保されず、排水中の夾雑物が引っ掛かり、管路が詰まってしまうおそれがある。
一方、角度（α）が、１００°を越えると、羽根状リブの出代（Ｈ）が確保されず、結果として、旋回流を遮断することができないおそれがある。
【００１３】
また、本発明の脚部継手は、特に限定されないが、立主管接続管部をその中心軸方向に投影したとき、各羽根状リブの先端が、立主管接続管部に接続される立主管下端の内径の７０％の内径をした立主管の中心軸を中心とする円（Ｃ１）と、前記立主管下端の内径の９０％の内径をした立主管下端の中心軸を中心とする円（Ｃ２）との間に収まるように、立主管接続管部内壁面に各羽根状リブが突設されていることが好ましい。
すなわち、羽根状リブの出代が小さすぎると、旋回流を遮断してうまく水膜を切ることができず、大きすぎると排水中の夾雑物が引っ掛かり、管路が詰まってしまうおそれがある。
【００１４】
上記略垂直とは、成形時の抜き勾配程度の傾斜を含むことを意味する。
【００１５】
羽根状リブの厚みは、強度的に問題がなければできるだけ薄い方が好ましいが、通常は３ｍｍ〜７ｍｍ程度である。
羽根状リブの形状は、特に限定されない。
【００１６】
本発明の脚部継手の材質としては、特に限定されないが、鋳鉄、鋳鉄製本体の内面を樹脂ライニングしたもの、合成樹脂、繊維強化樹脂等が挙げられる。
【００１７】
また、本発明にかかる排水システムは、排水路の立主管下端が最下階の床スラブを貫通して配置され、床スラブの上方に最下階の横枝管接続部を継手本体の側面に有するとともに、継手本体内に上流側から流れ込む排水流を受け止めて旋回流とするための、管軸に対して傾斜した傾斜板を備えている集合継手で形成され、この集合継手の下端が、上記本発明の脚部継手の立主管接続管部に接続されていることを特徴としている。
【００１８】
上記集合継手としては、例えば、他の配管材と接続される上部及び下部開口接続部と、この上部開口接続部の下部につながる立主管よりも大径の円筒部と、この円筒部の下部に下向きに縮径されながら下部開口接続部につながるテーパー筒部と、前記円筒部の側部に設けられた少なくとも一口の横枝管接続部とから構成され、上流側から流れ込む排水流を受け止めて旋回流とするための、管軸に対して傾斜した傾斜板が、前記円筒部内側面に設けられた集合継手（市販品として、積水化学工業社製商品名エスロンＡＤスリム継手）が好適である。なお、上記集合継手においては、必要に応じて前記傾斜板により旋回された排水が前記横枝管接続部に流入するのを防止するための堰き止め板を前記円筒部内側面に設けるようにしても構わない。
【発明の効果】
【００１９】
上記のように、本発明にかかる脚部継手は、多層階建物の排水路の立主管下端に接続される立主管接続管部と、横主管に接続される横主管接続管部と、前記立主管接続管部と横主管接続管部とを連結する曲管部とから成る脚部継手であって、前記立主管接続管部は、立主管下端が嵌合される受口部と、受口部の下方に設けられる拡径部とを備え、前記拡径部は、前記横主管接続管部の中心軸に沿って前記立主管接続管部を縦断方向に切断した脚部継手の切断面で見て、曲管部内壁の曲率半径の最も大きい部分に繋がる内壁部分が略垂直な直線になり、前記切断面で見て、前記直線の内壁部分に対向する前記横主管接続管部側の前記拡径部の内壁部分が上端から下端に向かって徐々に前記直線から離れる方向に湾曲し、その湾曲の下端が前記曲管部内壁の曲率半径の最も小さい内壁部分に連続する状態となるように、横主管接続管部側に膨出していて、一対の羽根状リブが、前記拡径部の立主管の中心軸より前記横主管接続管部側の拡径部内壁面に、前記横主管接続管部の中心軸を挟んで間を隔てて突設されているので、立主管接続管部の横管接続管部側の壁面に沿って旋回しながら流下してきた排水の一部が、羽根状リブによって旋回を抑えられ、ほぼ垂直に流下する。したがって、横管接続管部入口を閉塞しようとする水膜が切られ、常に、立主管接続管部と横管接続管部とが連通状態に保たれて、最下階付近では排水時に大きな正圧が生じることがなくなる。
また、万一、排水中の夾雑物が一時的に羽根状リブに引っかかっても、水膜の切れた部分が２つの羽根状リブの間に形成されるので、引っかかった夾雑物が水膜の切れた部分を塞ぐことがない。
しかも、脚部継手の高さ寸法を小さくすることができる。
すなわち、立主管接続管部の内壁面の曲管部の曲率半径の最も大きい部分に連続する部分では、接続される立主管下端の内壁面に沿うように下方に略垂直に垂下されているので、流下する排水は、曲管部の湾曲した内壁面に衝突することなく、スムーズに曲管部の内壁面に沿いながら横主管接続管部に導かれる。一方、内壁面のそれ以外の部分では、曲管部の曲率半径が最も小さい部分に連続する部分に向かって徐々に接続される立主管の中心軸に対する角度が大きくなるように外側に膨出形成されているので、立主管接続管部に流入した排水が立主管接続管部内で旋回しながら外側に広がり、水膜が薄くなるため、羽根状リブと相まって確実に水膜を切ることができるとともに、立主管接続管部から流下する排水の曲管部及び横主管接続管部底面への衝突速度が緩和される。
したがって、流下する排水中に洗剤が混じっていても、洗剤による泡立ちを抑えることができ、洗剤の泡立ちによる閉塞を防止できる。
【００２０】
また、立主管接続管部を立主管の中心軸方向に投影したとき、一方の羽根状リブの他方の羽根状リブ側の基端および立主管接続管部に接続される立主管の中心軸を結ぶ線分と、他方の羽根状リブの一方の羽根状リブ側の基端および立主管接続管部に接続される立主管の中心軸を結ぶ線分とのなす角度（α）が、４５°〜１００°となるように、立主管接続管部内壁面に各羽根状リブが突設されている構成とすれば、2枚の羽根状リブの間隔が十分確保され、排水中の夾雑物が2枚の羽根状リブの間で引っ掛かり、管路が詰まってしまうという事故を防止することができるとともに、羽根状リブの出代（Ｈ）を確実に確保でき、本発明の効果を安定して発揮させることができる。
【００２１】
さらに、立主管接続管部を立主管の中心軸方向に投影したとき、各羽根状リブの先端が、立主管接続管部に接続される立主管下端の内径の７０％の内径をした立主管の中心軸を中心とする円（Ｃ１）と、前記立主管下端の内径の９０％の内径をした立主管下端の中心軸を中心とする円（Ｃ２）との間に収まるように、立主管接続管部内壁面に各羽根状リブが突設されている構成とすれば、旋回流を遮断してうまく水膜を切ることができ、かつ、排水中の夾雑物が羽根状リブに引っ掛かり、管路が詰まるという事故を防止することができる。
【００２２】
一方、本発明にかかる多層階建物の排水システムは、排水路の立主管下端が最下階の床スラブを貫通して配置され、床スラブの上方に最下階の横枝管接続部を継手本体の側面に有するとともに、継手本体内に上流側から流れ込む排水流を受け止めて旋回流とするための、管軸に対して傾斜した傾斜板を備えている集合継手で形成され、この集合継手の下端が、上記本発明の脚部継手の立主管接続管部に接続されている。すなわち、集合継手が、継手本体内に上流側から流れ込む排水流を受け止めて旋回流とするための、管軸に対して傾斜した傾斜板を備えているので、最下階の横枝管から流れ込む排水を速やかに脚部継手の立主管接続管部の内壁面に沿う旋回流として排水の流下速度を遅くすることができる。
したがって、本発明の脚部継手を納まり寸法の小さなものとしつつ、且つ、排水性能に支障ないものとすることができる。
【発明を実施するための最良の形態】
【００２３】
以下に、本発明を、その実施の形態をあらわす図面を参照しつつ詳しく説明する。
図１〜図５は、本発明にかかる脚部継手の１つの実施の形態をあらわしている。
【００２４】
図１〜図５に示すように、この脚部継手Ａは、鋳鉄製で、立主管接続管部１と、曲管部２と、横主管接続管部３と、一対の羽根状リブ４と、支持金具取付部５とを備えている。
立主管接続管部１は、受口部１１と、拡径部１２とを備えている。
【００２５】
受口部１１は、公知のゴム輪式受口と同様にゴム輪１３が嵌装されていて、立主管の下端がゴム輪１３内に圧入されて、立主管と接続されるようになっている。
拡径部１２は、図３に示すように、その入口が立主管の下端の内径と同じ径に形成されている。
そして、拡径部１２の内壁面は、前記横主管接続管部３の中心軸に沿って立主管接続管部１を縦断方向に切断した図３に示す脚部継手Ａの切断面で見て、曲管部２内壁の曲率半径の最も大きい部分の上端に繋がる内壁部分が略垂直な直線の直線内壁部１ａとなり、この直線内壁部１ａに対向する横枝管接続部側の前記立主管接続管部の内壁部分が上方から下方に向かって徐々に直線内壁部１ａ前記直線から離れる方向に湾曲する湾曲内壁部１ｂとなっている。
すなわち、拡径部１２は、横主管接続管部３側が上端から下端に向かって徐々に拡がるように横主管接続管部３側に膨出している。
そして、図３に示すように、湾曲内壁部１ｂは、その湾曲の下端が曲管部２内壁の曲率半径の最も小さい内壁部分に連続している。
【００２６】
横主管接続管部３は、その内径が拡径部１２の入口内径より１．２倍から１．５倍程度大きくなるように形成され、開口端に横主管接続用のフランジ３１を備えている。
【００２７】
２つの羽根状リブ４は、図２（ａ）及び図３に示すように、５ｍｍ程度の均等な厚さの板状になっていて、板面が立主管接続管部１の中心軸に平行になるように横主管接続管部３の中心軸３２を挟んで中心軸３２から同じ間隔で立主管接続管部１の拡径部１２内に突設されている。
また、２つの羽根状リブ４は、図４に示すように、立主管接続管部１をその中心軸方向に投影したとき、一方の羽根状リブ４の他方の羽根状リブ４側の基端及び立主管接続管部１の中心Ｏを結ぶ線分Ｌ１と、他方の羽根状リブ４の一方の羽根状リブ４側の基端及び立主管接続管部の中心を結ぶ線分Ｌ２とのなす角度（α）が、４５°〜１００°となる間隔で、かつ、図５に示すように、立主管接続管部１をその中心軸方向に投影したとき、各羽根状リブ４の先端が、立主管接続管部１に接続される立管内径の７０％の内径をした立管中心軸を中心とする円（Ｃ１）と、前記立管内径の９０％の内径をした立管中心軸を中心とする円（Ｃ２）との間に収まるようになっている。
【００２８】
支持金具取付部５は、曲管部２の外壁面から下方に突出するように設けられていて、図 ２（ａ），（ｃ），（ｅ）及び図３に示すように、横主管接続管部３の中心軸を挟んで曲管部２から垂下される２つの板状の垂直部５１と、この垂直部５１の下端を連結する板状の水平部５２とを備え、水平部５２の中央に後述する図３に示すように支持金具を取り付けるボルト挿通孔５３が穿設されている。
【００２９】
図６及び図７は、上記脚部継手Ａを用いた排水システムの１例をあらわしている。
図６に示すように、この排水システムＳは、脚部継手Ａと、立主管６ａと、横主管６ｂとを備えている。
【００３０】
立主管６ａは、下端部が各階の床スラブＦＳを貫通するように配置される集合継手（例えば、積水化学工業社製商品名エスロンＡＤスリム継手）７と、この集合継手７間を接続する上端がゴム輪受口（図示せず）、下端が差口構造となった片ゴム輪受口管７０とを用いて形成されている。
集合継手７は、継手本体７ａが、上部開口接続部７１及び下部開口接続部７２と、この上部開口接続部７１の下部につながる立主管６ａよりも大径の円筒部７３と、この円筒部の下部に下向きに縮径されながら下部開口接続部７２につながるテーパー筒部７４とから構成され、円筒部７３の側部に横枝管接続部７５が設けられているとともに、上流側から流れ込む排水流を受け止めて旋回流とするための、管軸に対して傾斜した傾斜板７６が、円筒部７３内面に設けられている。図６中、ＦＳ２は梁である。
【００３１】
そして、この排水システムＳは、例えば、以下のようにして構築される。
まず、支持金具８を用いて脚部継手Ａをその受口部１１が最下階の床スラブＦＳに穿設された立主管挿通孔ＦＳ１を下側から臨むように床スラブＦＳに支持固定する。
すなわち、支持金具８は、脚部継手Ａに幅方向寸法よりも長いアングル状になっていて、図示していないが、アングルの一方の面の中央と、両端部近傍にそれぞれボルト挿通孔が穿設されている。そして、支持金具８は、脚部継手Ａの支持金具取付部５のボルト挿通孔５３と、支持金具８の中央のボルト挿通孔とを一致させ、両ボルト挿通孔を貫通する六角ボルト（図示せず）の先端にナットを締め込むことによって脚部継手Ａに固定される。
【００３２】
そして、２本のずん切りボルト８１を支持金具８の両端部近傍に設けられたボルト挿通孔間のピッチで、それぞれ上端をアンカーで床スラブＦＳの下面に固定するとともに、上側ナット（図示せず）をずん切りボルト８１に螺合させたのち、ずん切りボルト８１の下端部を支持金具８の両端部に挿入し、ボルト挿通孔から下方に突き出たずん切りボルト８１に下側ナット８２を螺合させ、上側ナットと、下側ナット８２との間で支持金具８のボルト挿通孔周縁部を上下から挟着することによって、図７に示すように脚部継手Ａが床スラブＦＳから吊り下げ状態で床スラブＦＳに支持固定される。
【００３３】
つぎに、床スラブＦＳの上方から最下階の集合継手７の下端部を立主管挿通孔ＦＳ１に挿入し、集合継手７の下部開口接続部７２を脚部継手Ａの受口部１１に嵌装し、集合継手７と脚部継手Ａとを連結する。
また、脚部継手Ａの横管接続管部３に横主管６ｂを接続するとともに、公知の排水システムと同様に、片ゴム輪受口管７０と各階の集合継手７とを用いて立主管６ａを形成するとともに、各横枝管接続部７５に各階の衛生機器（図示せず）と接続される横枝管９を接続する。
そして、横主管６ｂを下水本管（図示せず）等に接続する。
【００３４】
図８〜図１０は、本発明にかかる脚部継手の他の実施の形態をあらわしている。
図８〜図１０に示すように、この脚部継手Ｂは、曲管部２から横主管接続管部３にかけて両側面に蓋（図示せず）付きの掃除用孔１４が設けられ、万一、脚部継手Ｂ内で詰りが生じても、蓋を取り外すことによって容易に清掃できるようになっている以外は、上記脚部継手Ａと同様になっている。
【００３５】
本発明は、上記の実施の形態に限定されない。例えば、上記の実施の形態では、立主管接続管部が受口接続構造となっていたが、立主管接続管部も横主管接続管部同様にフランジ接続構造としても構わない。
上記の実施の形態では、支持金具取付部を備えていたが、支持金具取付部は無くても構わない。
上記の実施の形態では、羽根状リブが、その板面を立主管接続管部の中心軸に平行になるように横主管接続管部の中心軸を挟んで中心軸から同じ間隔で立主管接続管部内に突設されているが、板面を立主管接続管部１の中心軸に平行にせずいずれか一方を傾けたり、横主管接続管部の中心軸を挟んで中心軸からの距離が２つの羽根状リブで異なっていても構わない。また、羽根状リブの排水を受ける面は必要に応じて湾曲していても構わない。
【００３６】
以下に、本発明の具体的な実施例を詳しく説明する。
【００３７】
（実施例１）
立主管接続管部呼び径８０Ａ，横主管接続管部呼び径１００Ａの図１〜図５に示す形状の脚部継手を作製した。なお、２つの羽根状リブ間の距離は５１ｍｍ、羽根状リブの厚さは、５ｍｍ、角度（α）は ７５°、立主管接続管部をその中心軸方向に投影したときの、立管中心から羽根状リブまでの距離が立管内径の半径の７８％である。
【００３８】
（実施例２）
立主管接続管部呼び径１００Ａ，横管接続管部呼び径１２５Ａの図１〜図５に示す形状の脚部継手を作製した。なお、２つの羽根状リブ間の距離は６０ｍｍ、羽根状リブの厚さは、５ｍｍ、角度（α）は ６５°、立主管接続管部をその中心軸方向に投影したときの、立管中心から羽根状リブまでの距離が立管内径の半径の８５％である。
【００３９】
（実施例３）
立主管接続管部呼び径１００Ａ，横管接続管部呼び径１５０Ａの図１〜図５に示す形状の脚部継手を作製した。なお、２つの羽根状リブ間の距離は５０ｍｍ、羽根状リブの厚さは、５ｍｍ、角度（α）は ５５°、立主管接続管部をその中心軸方向に投影したときの、立管中心から羽根状リブまでの距離が立管内径の半径の８５％である。
【００４０】
（比較例１）
羽根状リブを設けなかった以外は、実施例２と同様の脚部継手を作製した。
【００４１】
（比較例２）
立主管接続管部をその中心軸方向に投影したときの、立管中心から羽根状リブまでの距離が立管内径の半径の８０％である羽根状リブを１つ、横主管接続管部の直上に設けた以外は、実施例２と同様の脚部継手を作製した。
【００４２】
（比較例３）
立主管接続管部呼び径１００Ａ，横管接続管部呼び径１２５Ａのの図１〜図５に示す形状の脚部継手を作製した。なお、２つの羽根状リブ間の距離は６０ｍｍ、羽根状リブの厚さは、５ｍｍ、角度（α）は １１０°、立主管接続管部をその中心軸方向に投影したときの、立管中心から羽根状リブまでの距離が立管内径の半径の８５％である。
【００４３】
上記実施例１〜３、比較例１〜３において作製した脚部継手および市販の脚部継手（積水化学社製商品名エスロンＡＤ脚部継手（特許文献２相当）、「比較例４」と記す）を用いて、それぞれ図６に示すような横主管長さを１１ｍとした排水システムを構築した。
そして、上記のように構築した各排水システムについて、脚部継手の納まり寸法（最下階の集合継手に接続された横枝管中心軸と脚部継手の横管接続管部の中心軸との距離）を計測するとともに、立主管の９ｍの高さからSHASE（空気調和・衛生工学会規格）-S 206の基準排水量（呼び径８０Ａのとき、２．５Ｌ／ｓ、呼び径１００Ａのとき、６Ｌ／ｓ）の排水を各排水システムに流したときの排水システム内の圧力変動を各階の集合継手部分に設けた圧力センサーを用いて測定し、最大正圧、最大負圧を求め、その結果を表１に示した。
【００４４】
【表１】
0005616568.tif 000002
【００４５】
上記表１から、実施例１〜３で作製した脚部継手は４１３ｍｍで最下階の床スラブ下の配管スペースの高さが低い建築物へ十分適応できることがわかる。
また、上記実施例１〜３で作製した脚部継手を用いた排水システムにおいては、比較例４の従来の脚部継手と略同等のSHASE（空気調和・衛生工学会規格）-S 206の基準である±４００Pa以下を満足するものであったのに対し、比較例１の脚部継手を用いた場合、最大正圧が＋４１５Pa、比較例２の脚部継手を用いた場合、最大正圧が＋４２０Pa、角度（α）が１００°を超える比較例３の脚部継手を用いた場合、リブを設けることの多少の効果が認められるものの、最大正圧が+４１０PaとSHASE-S 206の基準を満足できないことがわかる。
【００４６】
さらに、上記実施例１〜３の脚部継手を用いた排水システムに立主管の９ｍの高さから２Ｌ／ｓの流量で洗剤を含む水を流下させたところ、横主管の長さが１１ｍと、通常多層建築物で用いられている６ｍの長さの横主管に比べ２倍近い長さであるのにもかかわらず、泡の吹き上げがなく、配管内圧力も正圧が略４００Pa以下であった。
【図面の簡単な説明】
【００４７】
【図１】本発明にかかる脚部継手の１つの実施の形態を表す斜視図である。
【図２】図１の脚部継手の五面図であって、同図（ａ）が正面図、同図（ｂ）が右側面図、同図（ｃ）が左側面図、同図（ｄ）が平面図、同図（ｅ）が底面図である。
【図３】図２のＩ−Ｉ線断面図である。
【図４】図１の脚部継手の羽根状リブの位置を説明する平面図である。
【図５】図１の脚部継手の羽根状リブの出代を説明する平面図である。
【図６】図１の脚部継手を用いた排水システムの１例をあらわす多層建築物の最下階部分の断面図である。
【図７】図６の排水システムの脚部継手の床スラブへの支持方法を説明する図であって、同図（ａ）はその正面図、同図（ｂ）は右側面図である。
【図８】本発明にかかる脚部継手の他の実施の形態を表す斜視図である。
【図９】図８の脚部継手の五面図であって、同図（ａ）が正面図、同図（ｂ）が右側面図、同図（ｃ）が左側面図、同図（ｄ）が平面図、同図（ｅ）が底面図である。
【図１０】図９のII−II線断面図である。
【図１１】従来の排水システムの脚部継手部分の断面図である。
【図１２】公知の排水システムの最下階の床スラブ部分の断面図である。
【図１３】公知の排水システムの脚部継手部分の断面図である。
【符号の説明】
【００４８】
Ａ，Ｂ 脚部継手
Ｓ 排水システム
１ 立主管接続管部
１１  受口部
１２  拡径部
１ａ 直線状内壁部
１ｂ  湾曲状内壁部
２ 脚部継手
３ 横管接続管部
４ 羽根状リブ
６ａ 立主管
６ｂ 横主管
７ 集合継手
７ａ 継手本体
７５ 横枝管接続部
７６ 傾斜板
Ｌ１ 一方の羽根状リブの他方の羽根状リブ側の基端および接続される立主管の中心軸を結ぶ線分
Ｌ２ 他方の羽根状リブの一方の羽根状リブ側の基端および接続される立主管の中心軸を結ぶ線分
Ｏ 接続される立主管の中心軸
ＦＳ 床スラブ
【図１】
0005616568.tif 000003
【図２】
0005616568.tif 000004
【図３】
0005616568.tif 000005
【図４】
0005616568.tif 000006
【図５】
0005616568.tif 000007
【図６】
0005616568.tif 000008
【図７】
0005616568.tif 000009
【図８】
0005616568.tif 000010
【図９】
0005616568.tif 000011
【図１０】
0005616568.tif 000012
【図１１】
0005616568.tif 000013
【図１２】
0005616568.tif 000014
【図１３】
0005616568.tif 000015